(57)【要約】      （修正有）【課題】使い勝手の良く、どのような場所でも、人が吸引する空気を浄化でき、ウイルス感染等を有効に防ぐことができる空気浄化用具を提供する。【解決手段】人が吸引する空気を浄化するための空気浄化用具１であって、二酸化塩素を放出する粒状体が封入された包装体２０と包装体を内部に収容し得る収容体１０とを備えており、収容体には、内部と外部との間を連通し包装体を外部から内部に挿入し得るための開口部が設けられている。包装体中に封入された粒状体が空気中の成分と反応して二酸化塩素ガスを発生し開口部から外部へ放出される。これにより、二酸化塩素ガスによって人が吸引する空気を吸引前に浄化することができる。しかも、粒状体が包装体内に封入されているので、簡単に収容体内に供給することができ、粒状体に直接触れないから安心して使用することができる。【選択図】図１
0003184180.tif 000002
【実用新案登録請求の範囲】
【請求項１】
人が吸引する空気を浄化するための空気浄化用具であって、
二酸化塩素を放出する粒状体が封入された包装体と、
該包装体を内部に収容し得る収容体と、を備えており、
前記収容体には、
内部と外部との間を連通し、前記包装体を外部から内部に挿入し得る開口部が設けられている
ことを特徴とする空気浄化用具。
【請求項２】
前記収容体は、
ポリエチレンテレフタレート製のシート状部材を折り曲げかつ対向する２端縁をそれぞれ連結して形成されたものであり、
前記連結した各端縁は、
互いに対向する端面同士を接触させて熱融着したものである
ことを特徴とする請求項１記載の空気浄化用具。
【請求項３】
前記収容体の背面には、接着部が設けられている
ことを特徴とする請求項１または２記載の空気浄化用具。
【請求項４】
前記収容体の開口部の上部には、
一端が連結されたネックストラップが設けられており、
前記収容体は、
ネームカードを保持するためのカード保持部を備えている
ことを特徴とする請求項１または２記載の空気浄化用具。
【請求項５】
前記収容体の材質が、不織布である
ことを特徴とする請求項１記載の空気浄化用具。
【請求項６】
前記収容体は、
前記包装体を収容するための本体部を備えており、
前記本体部は、
正面が開口した背面カバーと、該背面カバーの開口を覆いかつ該背面カバーの開口を開閉し得るように設けられた正面カバーと、を備えており、
該正面カバーには、
前記背面カバーに該正面カバーを取り付けた状態において、外部と内部とを連通する通気口が形成されている
ことを特徴とする請求項１記載の空気浄化用具。
【請求項７】
前記通気口は、
前記正面カバーの下部に形成されている
ことを特徴とする請求項６記載の空気浄化用具。
【請求項８】
前記収容体は、
前記本体部を支持するための脚を備えており、
前記背面カバーの上部に、前記通気口が形成されている
ことを特徴とする請求項６または７記載の空気浄化用具。
【請求項９】
前記収容体には、
前記通気口近傍に送風手段が設けられている
ことを特徴とする請求項６、７または８記載の空気浄化用具。
【考案の詳細な説明】
【技術分野】
【０００１】
本考案は、空気浄化用具に関する。さらに詳しくは、二酸化塩素ガスを利用した空気浄化用具に関する。
【背景技術】
【０００２】
大気中には、ウイルス等の種々の雑菌が存在しており、かかるウイルス等を吸引した場合には、そのウイルス等に感染して病気になる可能性がある。
そこで、ウイルス等の感染対策として、一般的には、ウイルス等の吸引を防ぐためにマスクを着用するなどの対策が行われている。
【０００３】
しかし、マスクを着用しても、マスクと顔表面との間を完全に気密に密封することはできないので、人が呼吸の際に吸引する空気が全てマスクを通過するようにすることは難しい。しかも、微細なウイルス等であれば、マスクを通過してしまうため、マスクによるウイルス等の吸引防止効果は限定的である。
【０００４】
近年、二酸化塩素ガスが有する殺菌作用等が注目されており、二酸化塩素ガスを利用して人が呼吸する空気を浄化するための技術が開発されている（例えば、特許文献１）。
特許文献１には、二酸化塩素粉末が袋に封入された包装体の状態で、この包装体を収容体内に収容した空気浄化用具が開示されている。そして、特許文献１には、収容体の上端にストラップを取付けて首に掛けて携帯できる空気浄化用具も開示されている。
【先行技術文献】
【特許文献】
【０００５】
【特許文献１】実用新案登録第３１５４０９４号公報
【考案の概要】
【考案が解決しようとする課題】
【０００６】
特許文献１の空気浄化用具を利用すれば、人が呼吸する空気を有効に浄化することができるが、さらに使い勝手のよい空気浄化用具が望まれている。
【０００７】
本考案は上記事情に鑑み、使い勝手の良く、どのような場所でも、人が吸引する空気を浄化することができ、ウイルス感染等を有効に防ぐことができる空気浄化用具を提供することを目的とする。
【課題を解決するための手段】
【０００８】
第１発明の空気浄化用具は、人が吸引する空気を浄化するための空気浄化用具であって、二酸化塩素を放出する粒状体が封入された包装体と、該包装体を内部に収容し得る収容体と、を備えており、前記収容体には、内部と外部との間を連通し、前記包装体を外部から内部に挿入し得る開口部が設けられていることを特徴とする。
第２発明の空気浄化用具は、第１発明において、前記収容体は、ポリエチレンテレフタレート製のシート状部材を折り曲げかつ対向する２端縁をそれぞれ連結して形成されたものであり、前記連結した各端縁は、互いに対向する端面同士を接触させて熱融着したものであることを特徴とする。
第３発明の空気浄化用具は、第１または第２発明において、前記収容体の背面には、接着部が設けられていることを特徴とする。
第４発明の空気浄化用具は、第１または第２発明において、前記収容体の開口部の上部には、一端が連結されたネックストラップが設けられており、前記収容体は、ネームカードを保持するためのカード保持部を備えていることを特徴とする。
第５発明の空気浄化用具は、第１発明において、前記収容体の材質が、不織布であることを特徴とする。
第６発明の空気浄化用具は、第１発明において、前記収容体は、前記包装体を収容するための本体部を備えており、前記本体部は、正面が開口した背面カバーと、該背面カバーの開口を覆いかつ該背面カバーの開口を開閉し得るように設けられた正面カバーと、を備えており、該正面カバーには、前記背面カバーに該正面カバーを取り付けた状態において、外部と内部とを連通する通気口が形成されていることを特徴とする。
第７発明の空気浄化用具は、第６発明において、前記通気口は、前記正面カバーの下部に形成されていることを特徴とする。
第８発明の空気浄化用具は、第６または第７発明において、前記収容体は、前記本体部を支持するための脚を備えており、前記背面カバーの上部に、前記通気口が形成されていることを特徴とする。
第９発明の空気浄化用具は、第６、第７または第８発明において、前記収容体には、前記通気口近傍に送風手段が設けられていることを特徴とする。
【考案の効果】
【０００９】
第１考案によれば、収容体に収容されている包装体中に封入された粒状体が空気中の成分と反応して二酸化塩素ガスを発生し、その二酸化塩素ガスが開口部から外部へ放出される。すると、人の近傍に本考案の空気浄化用具を配置しておけば、二酸化塩素ガスによって人が吸引する空気を吸引前に浄化することができる。しかも、粒状体が包装体内に封入されているので、簡単に収容体内に供給することができ、しかも粒状体に直接触れないから安心して使用することができる。
第２考案によれば、ポリエチレンテレフタレート製のシート状部材を折り曲げて袋状の収容体を形成している。しかも、シート状部材を折り曲げたときに対向する２端縁のそれぞれの端面同士を接触させて熱融着させている。したがって、包装体から二酸化塩素ガスが発生しても、収容体は袋状の形状を維持できる。よって、より使い勝手の良い空気浄化用具とすることができる。
第３考案によれば、収容体の背面に設けられた接着部を一般のネームカード入れ等に貼り付けるだけで、簡単に携帯することができるから、さらに使い勝手の良い空気浄化用具とすることができる。
第４考案によれば、カード保持部にネームカードを挿入すれば、収容体を一般のネームカードホルダと同様に使用することができ、しかも、首に掛けて使用することができるので、空気浄化用具の携帯が容易になる。さらに、開口部から排出される二酸化塩素ガスを、人の顔の前方に供給し易くなる。
第５考案によれば、収容体が不織布で形成されているので、本考案の空気浄化用具を使用する際の収容体の形状の自由度を向上させることができる。
第６考案によれば、収容体には外部と内部を連通する通気口を形成しているので、通気口を通して外部の空気を内部に導入し、かつ、開口から二酸化塩素ガスを排出させることができる。
第７考案によれば、正面カバーの下部に通気口を形成することによって、収容体内に発生した二酸化塩素ガスをスムースに外部へ排出することができる。
第８発明によれば、収容体の正面カバーと背面カバーにおいて、対向する位置（正面カバーでは下部、背面カバーでは上部）に通気口を形成しているので、収容体の正面から二酸化塩素ガスをよりスムースに排出させることができる。しかも、収容体に設けられた脚によって収容体を机や棚等の上面などに配置すれば、通気口を通して外部の空気を内部に導入し、かつ、開口から二酸化塩素ガスを排出させることができる。すると、収容体から排出された二酸化塩素ガスを空気の流れに乗せれば、広い空間の空気を浄化することができる。
第９発明によれば、送付手段によって収容体内に発生した二酸化塩素ガスを効率よく収容体の外部へ排出することができる。
【図面の簡単な説明】
【００１０】
【図１】本実施形態の空気浄化用具１の使用状態の概略説明図であって、（Ａ）は空気浄化用具１が正面を向いた状態の図であり、（Ｂ）は空気浄化用具１が裏返った状態の図である。
【図２】本実施形態の収容体１０の概略説明図であって、（Ａ）は包装体２０を収容した状態の概略正面図であり、（Ｂ）は概略背面図である。
【図３】本実施形態の収容体１０と包装体２０の概略説明図であって、（Ａ）は収容体１０の図２（Ａ）のＩＩＩＡ−ＩＩＩＡ線断面図であり、（Ｂ）は包装体２０の概略説明図であり、（Ｃ）は（Ｂ）のＣ−Ｃ線断面図である。
【図４】他の実施形態の空気浄化用具の概略説明図であって、（Ａ）は概略正面図であり、（Ｂ）は概略背面図である。
【図５】他の実施形態の空気浄化用具の収容体１０の概略説明図であって、（Ａ）は概略正面図であり、（Ｂ）は概略背面図である。
【図６】他の実施形態の空気浄化用具の収容体６０の概略説明図であって、（Ａ）は概略正面図であり、（Ｂ）は概略背面図である。
【図７】他の実施形態の空気浄化用具の収容体５０の概略説明図であって、（Ａ）は収容体５０の本体部５１の正面カバー５２の概略説明図であり、（Ｂ）は背面カバー５３の概略説明図である。
【図８】他の実施形態の空気浄化用具の収容体５０の概略説明図であって、（Ａ）は収容体５０の本体部５１の組立状況の概略説明図であり、（Ｂ）は使用状況の概略説明図である。
【図９】他の実施形態の空気浄化用具の収容体７０の概略説明図であって、（Ａ）は概略正面図であり、（Ｂ）は概略背面図である。
【図１０】他の実施形態の空気浄化用具の収容体７０の概略説明図であって、（Ａ）は収容体７０を壁Ｗに取り付けて使用している使用状況の概略説明図であり、（Ｂ）は収容体７０の正面カバー７１を開いて包装体２０を収容体７０内に配置した状態の概略断面説明図である。
【考案を実施するための形態】
【００１１】
つぎに、本考案の実施形態を図面に基づき説明する。
本考案の空気浄化用具は、人が呼吸の際に吸引する空気を浄化して、人がウイルス等に感染することを防ぐために使用される用具であって、二酸化塩素ガスを発生させる包装体を収容体内に挿入するだけで、人が携帯でき、屋内・屋外を問わず、どのような場所でも簡便に使用できるようにしたことに特徴を有している。
【００１２】
図１に示すように、本実施形態の空気浄化用具１（以下、単に空気浄化用具１という）は、収容体１０とこの収容体１０内に収容された包装体２０とを備えている。
【００１３】
図３に示すように、包装体２０は、空気に接触すると二酸化塩素を発生させる粒状体Ｍを内部に封入するための袋状に形成された部材であり、その大きさは収容体１０の開口１０ａから内部に挿入し、収容体内10hに収容することができるように形成されている（図２参照）。
粒状体Ｍは、亜塩素酸塩を担持部材に担持させて粒状に形成したものであり、上記のごとき空気中の炭酸ガス（例えば、二酸化炭素）や水などと反応して二酸化塩素のガス（以下、単に二酸化塩素ガスという）を発生させることができるように調製されたものであり、市販されている製品を使用することができる。
【００１４】
図３（Ａ）に示すように、収容体１０は、内部に包装体２０を収容することができる収容空間10hを有する袋状の部材である。そして、図２および図３に示すように、この収容体１０には、その内部の収容空間10hと外部とを連通する開口部10aが設けられている。この開口部10aは、その大きさおよび形状が包装体２０を収容空間10h内に挿入することができるように形成されている。
【００１５】
また、図２（Ｂ）に示すように、収容体１０は、その背面側に接着性を有する接着部１５が設けられている。この接着部１５は、接着性を有する面が表面側となるように収容体１０の背面側に取り付けられている。この接着部１５は、表面側に接着機能を有する部材であればとくに限定されず、例えば、両面に接着機能を有するシート状の部材（例えば、両面接着シート）であれば、一の面を収容体１０に貼り付けて、他の面を取付対象物用の接着面とすることができる。
【００１６】
以上のごとき本実施形態の空気浄化用具１は、以下のように使用される。
【００１７】
図１に示すように、接着部１５の接着面がネームホルダ２の背面側に接し、かつ開口部10aが上方を向くように収容体１０をネームホルダ２に取付ける。このネームホルダ２の上部には、一端が連結されたネックストラップ５が設けられている。つまり、収容体１０の開口部10aの上部近傍にネックストラップ５の一端が位置するように収容体１０をネームホルダ２に取り付ける。そして、図１に示すように、収容体１０の開口部10aから収容空間10h内に包装体２０を挿入し、ネックストラップ５を首に掛けて、包装体２０を内部に収容した状態の収容体１０が顔の下方に位置するようにぶら下げる。
【００１８】
このように収容体１０を人の近傍に配置すると、収容体１０の収容空間10h内に収容した包装体２０に封入した粒状体Ｍが空気と反応して二酸化塩素ガスを発生させることができる。発生させた二酸化塩素ガスは、開口部11aから収容体１０外部に排出されて顔の前方の空気と接触する。すると、二酸化塩素ガスと接触した空気に存在するウイルス等を、完全ではないものの、ある程度殺菌することができる。
すると、人は呼吸したときに、ウイルス等がある程度殺菌されて浄化された空気を吸引することになるので、ウイルス等に感染することを防ぐことができる。
【００１９】
そして、二酸化塩素ガスを発生させることができる粒状体Ｍが包装体２０内に封入されているので、使用期限が終了した包装体２０と使用可能な包装体２０を簡単に取り替えることができる。つまり、包装体２０を取り替えるだけで、上記効果を持続させることができるのである。しかも、使用者は、粒状体Ｍに直接触れることなく粒状体Ｍの取り替えを行うことができる。
【００２０】
以上のごとく、本実施形態の空気浄化用具１を使用すれば、収容体１０をネームホルダ２の背面側に貼り付けるだけで、人が呼吸により吸引する空気を二酸化塩素ガスによって吸引前に浄化することができるから、呼吸によって吸引する空気に起因して人がウイルス感染等することを有効に防ぐことができる。
【００２１】
そして、上記のごとく収容体１０を貼りつけたネームホルダ２の上部にネックストラップ５の一端に取り付けておけば、収容体１０を顔の下方に容易に配置することができるので、収容体１０の開口部10aから排出される二酸化塩素ガスを人の顔の前方の空気に接触させやすくなる。
【００２２】
なお、ネックストラップ５以外のストラップなどの取付部材の一端をネームホルダ２の上部に取り付けてもよく、この場合でも、ストラップによって空気浄化用具１を服やカバン等の人の身の回りのものに取付けることができるので、好適である。
【００２３】
また、本実施形態の空気浄化用具１は、例えば、図５に示すように、収容体１０の上部にストラップ等の取付部材の一端が直接連結されていてもよい。この場合でも、収容体１０を服等のポケットに入れたり、人の身辺に置くなどの方法で、使用することができるのは言うまでもない。
【００２４】
（収容体１０の説明）
本実施形態の空気浄化用具１の収容体１０の材質はとくに限定されないが、二酸化塩素により腐食等しない素材が好ましい。例えば、ポリエチレンテレフタレート製（以下、単にＰＥＴ製という）の収容体１０であれば上記条件を満たす。
【００２５】
ＰＥＴ製の収容体１０を形成する方法はとくに限定されないが、例えば、図２に示すような構造の袋状部材とすることができる。
図２の収容体１０は、ＰＥＴ製の略長方形のシート状部材を約半分の位置で折り曲げる（図２（Ａ）では紙面手前側の部分を前部シート１１、その背面側に位置する部分を後部シート１２という）。そして、折り曲げたときに対向する前部シート１１と後部シート１２のそれぞれの長手方向の２端縁（図２（Ａ）では左右方向に位置する２端縁をいう）において、互いに対向する端面同士をそれぞれ接触させた状態で熱融着した連結部10bで両者を連結している。すると、形成された収容体１０は一対の連結部10bと折り曲げた下辺が閉じ、上端が開口した袋となるのである。
【００２６】
収容体１０を上記のごとき構造とすれば、図２および図３（Ａ）に示すように、ＰＥＴ製の袋状の部材であって、上部に開口部10hを有し、かつ両端縁が複数の連結部10bによって一定の間隔で連結された収容体１０を形成することができる。
この収容体１０は、ＰＥＴ製であるので、ビニール製やポロプロピレン製（いわゆるＰＰ製）等で形成した場合に比べて二酸化塩素ガスに対してより耐性を有する。しかも、この収容体１０は、対向する２端縁の端面同士をそれぞれ熱融着した連結部10bで連結して形成しているので、二酸化塩素ガスに対して耐性が低く劣化し易い（例えば、数ヶ月間二酸化塩素ガスに暴露した状態において接着機能が極端に低下する）接着剤等が不要となる。
【００２７】
このため、収容体１０は、発生した二酸化塩素ガスが接触する状況においても、長期間に渡って袋状の形状を維持できる。具体的には、包装体２０の使用期限（例えば、１ヶ月）を経過した場合であっても収容体１０はその形状を常に維持することができるので、収容体１０の収容空間10h内に収容した使用済みの包装体２０を新しい包装体２０に交換するだけで、継続して使用することができる。つまり、長期間に渡って収容体１０の形状を維持することができるので、内部に収容する包装体２０だけを交換するだけで、上述した効果を発揮させることができるから、本考案の空気浄化用具１を長期間に渡ってより使い勝手の良い空気浄化用具とすることができる。
【００２８】
なお、連結部10bを形成する方法はとくに限定されない。例えば、端縁に沿って全体を熱融着してもよいし、一定の間隔を空けた状態で熱融着してもよい。
また、図２に示すように、前部シート１１と後部シート１２の両端縁において、互いに対向する端面同士を熱融着する際に圧力をかけた圧着方式で連結部10bを形成してもよい。かかる場合、端縁に沿って一定の間隔を開けた状態で熱融着した場合であっても、端縁に沿って全体を熱融着した場合と同様の強さで端面同士を連結することができるので好ましい。
【００２９】
（包装体２０の説明）
また、上述したように、収容体１０の収容空間10h内に収容する包装体２０は、内部に粒状体Ｍを封入した状態で、内部に封入した粒状体Ｍに外部の空気を接触させることができ、しかも、発生した二酸化塩素ガスを外部に排出させることができる構造となっていればよく、その素材や封入方法はとくに限定されない。
【００３０】
例えば、図３（Ｂ）および図３（Ｃ）に示すように、その表裏を連通する微細な貫通孔20gが複数形成されたシート状の部材を折り曲げ、かつ３つの端縁全てを熱融着して、内部に収容空間20hを有する袋状の包装体２０を形成してもよい。
かかる構造とすれば、包装体２０の周囲に空気が存在すれば、かかる空気をこの微細な貫通孔20gを通して収容空間20h内に侵入させることができる。すると、収容空間20h内に封入した粒状体Ｍは、例えば、空気（具体的には、空気中の炭酸ガス等）と接触して二酸化塩素ガスを発生させることができる。そして、発生した二酸化塩素ガスをこの微細な貫通孔20gを通して収容空間20h内から外部へ排出させることができる。
【００３１】
とくに、包装体２０は、その表面が撥水性の機能を有する材質で形成されているのが好ましい。この場合、雨や汗などの水分が包装体２０内の収容空間20hに侵入するのを抑制できるので、粒状体Ｍと水分が過剰に反応することを防止できるから、本考案の空気浄化用具１をより安全に使用することができる。
【００３２】
なお、包装体２０の素材は、上述したような効果つまり封入した粒状体Ｍに外部の空気を接触させることができ、かつ発生した二酸化塩素ガスを外部に排出させることができる構造を有するように形成することができるものであれば、とくに限定されない。例えば、素材として、紙製、不織布製や樹脂製、アルミ製などを挙げることができる。なお、紙製のものを採用する場合には、上述したようにその表面が撥水性の機能を有する材質をコーティング等するのが好ましい。
【００３３】
包装体２０の収容空間20h内に封入する粒状体Ｍは、上述したように、亜塩素酸塩を担持部材に担持させて粒状に形成したものであり、上記のごとき空気中の炭酸ガス（例えば、二酸化炭素）や水などと反応して二酸化塩素ガスを発生させることができるように調製されたものであれば、とくに限定されない。
例えば、亜塩素酸塩としては、亜塩素酸リチウムや、亜塩素酸ナトリウム、亜塩素酸カリウムなどの亜塩素酸アルカリ金属塩、亜塩素酸マグネシウムや、亜塩素酸カルシウム、亜塩素酸バリウムなどの亜塩素酸アルカリ土類金属塩等を挙げることができる。
また、担持部材としては、亜塩素酸塩を保持しておくことができる部材であればとくに限定されず、例えば焼成マグネシウムケイ酸塩、ゼオライト、セピライト、シリカ、アルミナ等などの多孔質担体を挙げることができる。
【００３４】
なお、上記のごとき包装体２０として、例えば、市販されている製品（例えば、BASF社製  Aseptrol（CSR-1.05  10g  Sachet））等を使用することができるが、この製品に限られないのは言うまでもない。
また、上記例では、担持部材に担持させる物質として亜塩素酸塩を用いる場合について説明したが、二酸化塩素ガス自体を担持部材に担持させてもよいのは、言うまでもない。
さらに、上記例では、粒状体Ｍは亜塩素酸塩を担持部材に担持させて粒状に形成する場合について説明したが、上記のごとき空気中の成分と反応して二酸化塩素ガスを発生させることができるものであれば、担持部材を設けなくてもよい。例えば、二酸化塩素発生剤（例えば、亜塩素酸塩等）を粒状に形成したものを採用することができる。
【００３５】
（他の実施形態）
また、本実施形態の空気浄化用具１は、包装体２０を人の身辺に取付けたり、置くなどの方法で使用することができればよいので、図４に示すように、ネームホルダ２を収容体として使用することも可能である。
【００３６】
図４に示すように、このネームホルダ２は、正面にネームカードＮＣを保持するためのカード保持部３と、このカード保持部３の対向する位置、つまり背面に設けられた開口部４ａを有する収容部４を備えている。また、このネームホルダ２の上部には、一端が連結したネックストラップ５が連結されている。
【００３７】
かかる構造であるので、ネームホルダ２の正面のカード保持部３の開口部３ａからネームカードＮＣを挿入し、背面の収容部４の開口部４ａから包装体２０を挿入し、ネックストラップ５を首に掛ければ、通常のネームホルダとして使用できる。
しかも、上述した空気浄化用具と同様に、収容部４の開口部４ａから排出される二酸化塩素ガスを、人の顔の前方に供給することができる。つまり、上記のようにネームホルダ２を使用すれば、ネームホルダ２の収容部４またはネームホルダ２自体が、特許請求の範囲の収容体に相当するのである。
【００３８】
（他の実施形態）
なお、上記例では、収容体１０の材質をＰＥＴ製にした場合について説明したが、収容体が二酸化塩素ガスに対して耐性を有する材質であれば、ＰＥＴ製に限定されない。
例えば、図５に示すように、シート状の不織布を折り曲げて背面の略中央部に開口部10aを有するように形成した不織布製の収容体１０を採用してもよい。この場合、収容体１０の材質が不織布製であるので、収容体１０の大きさおよび形状を内部に挿入した包装体２０と略同一の大きさおよび形状にすることができる。すると、ポケット等に入れても嵩張らない状態で携帯することができので、本考案の空気浄化用具を使用する際の収容体の形状の自由度を向上させることができる。
また、図５に示すように、収容体１０の形状および大きさを包装体２０と略同じ形状および大きさとなるように形成し、かつ開口部10aが収容体１０の略中央に形成してもよい。かかる構造とすれば、携帯中に包装体２０が収容体１０の内部から外部へずり落ちたりするのを防止できるので好ましい。
【００３９】
なお、図４に示すように、収容体１０の上部にストラップ１５を設けておけば、ベルトやカバンなどに本考案の空気浄化用具を容易に取付けることができる。
【００４０】
（他の実施形態）
また、上記例では、収容体がある程度の変形可能な場合（例えば、曲げたりすることができる）について説明したが、上述した機能を有する構造であれば、かかる形態に限定されない。
【００４１】
例えば、図６に示すように、本実施形態の空気浄化用具の収容体６０は、正面に開口を有する箱状の収容部６１と、この収容部６１の開口を覆いかつ収容部６１に対して摺動可能に取り付けられたカバー部６２とを備えた構成としてもよい。
【００４２】
図６に示すように、収容部６１は、正面に開口を有する略長方形の箱状部材である。具体的には、収容部６１は、背面プレート61aとこの背面プレート61aの前面を囲むように四枚の側壁61bを備えている。つまり、収容部６１は、背面プレート61aと四枚の側壁61bで囲まれた空間を有しているのである。
【００４３】
一方、図６に示すように、カバー部６２は、背面に開口を有する略箱状の部材である。具体的には、カバー部６２は、正面プレート62aとこの正面プレート62aの周囲３方に立設した３枚の側壁62b、つまり正面プレート62aの周囲を囲む略コ字状に立設した側壁62bとを備えている。例えば、図６に示すように、側壁62bは、長手方向と直交する辺のうち一の端縁（図６では下方の端縁）が開口するように形成されている。そして、図６（Ｂ）に示すように、側壁62bは、収容部６１をカバー部６２内に収容するように取り付けた状態において、収容部６１の側壁61aよりも外方に位置し、かつその内面と収容部６１の側壁61a外面とが略接するように形成されている。
また、図６（Ａ）に示すように、正面プレート62aには、外部と内部を連通する通気孔62hが複数形成されている。
【００４４】
以上のごとき構造であるので、図６に示すように、収容体６０は、収容部６１の開口を覆うようにカバー部６２を重ねて取付けた状態において、通気孔62hによって中空な内部空間と外部と内部を連通された空間を形成することができる。
【００４５】
そして、かかる状態から収容部６１の一部が露出するように、カバー部６２に対して収容部６１をスライドさせる。具体的には、図６（Ａ）の破線で示すように、カバー部６２に対して収容部６１が露出するようにスライドさせる。すると、この露出した収容部６１の開口から包装体２０を収容部６１内に入れることができる。そして、再度収容部６１をカバー部６２に対してスライドさせて露出した部分を閉じれば（図６（Ｂ）参照）、収容体６０の内部空間内に包装体２０を収容することができる。すると、収容体６０のカバー部６２には、外部と内部を連通する通気孔62hが形成されているので、通気孔62hを通して外部の空気を内部に誘導し、内部で発生した二酸化塩素ガスを外部へ排出させることができる。
【００４６】
なお、カバー部６２と収容部６１とをスライド可能に連結する連結構造は、とくに限定されない。例えば、収容部６１の四枚の側壁61aのうち背面プレート61aの長手方向に立設された一対の側壁61a外面に長手方向に沿った溝状の凹部を形成し、この凹部に嵌合する凸部をカバー部６２の正面プレート62aの長手方向に立設された一対の側壁62a内面に設ければ、カバー部６２に対して収容部６１をスライド可能に連結しておくことができる。なお、凸部をレール状に形成すれば、よりスムースにカバー部６２に対して収容部６１をスライドさせることができるので、好ましい。
【００４７】
また、図６に示すように、収容体６０の上部に取付部６５を設けてもよい。この取付部６５を設ければ、収容体６０を壁やタンスの取手などの突出した部分に取付部６５を引っ掛けた状態で収容体６０を使用することができる。
なお、上述したスライド式の収容体６０を大型化した構造を有するものも採用してもよい。そして、この大型化した収容体の収容部に後述する収容体５０に設けられた脚と同様の構造を有する脚を取り付ければ、後述する収容体５０と同様にかかる収容体を机や棚等の上面などに配置することができる。
【００４８】
なお、収容部６１とカバー部６２が、特許請求の範囲にいう本体部に相当する。
また、通気孔62hが、特許請求の範囲にいう通気口に相当する。
【００４９】
（他の実施形態）
また、上記例では収容体を人の服等に取付けて使用する場合について説明したが、以下では、人の身辺に置いて使用する場合の本実施形態の空気浄化用具について説明する。
【００５０】
図８に示すように、本実施形態の空気浄化用具の収容体５０は、本体部５１と、この本体部５１を支持するための脚５５とを備えている。
また、図７（Ｂ）または図８（Ｂ）に示すように、脚５５は、背面カバー５３の背面プレート53aに一端が連結するように設けられた略コ字状の部材であって、かかる連結部を支点として背面プレート53aに対して上下方向に揺動可能に取り付けられている。
【００５１】
図７および図８に示すように、本体部５１は、正面カバー５２と背面カバー５３とから形成されている。
【００５２】
図７（Ｂ）に示すように、背面カバー５３は、正面に開口を有する略箱状の部材であって、背面プレート53aとこの背面プレート53aの周囲に立設した側壁53bとを備えている。この背面プレート53aの上部には、溝状の通気孔53hが複数設けられている。そして、側壁53bの上部側端縁（図７（Ｂ）では左右側壁端縁）には、一対の凸状部53cが設けられている。
【００５３】
一方、図７（Ａ）に示すように、正面カバー５２は、正面に開口を有する略箱状の部材であって、正面プレート52aとこの正面プレート52aの周囲に立設した側壁52bとを備えている。この正面プレート52aは、背面カバー５３の背面プレート53aと略同等の形状および大きさとなるように形成されており、その上部には溝状の通気孔52hが複数設けられている。そして、側壁52bは、正面カバー５２を背面カバー５３に重ねて取り付けた状態において、背面カバー５３の側壁53aよりも内方に位置し、かつ背面カバー５３の側壁53aと略接するように形成されている。しかも、側壁52bの上部下端には、かかる状態において、背面カバー５３の側壁53aに設けられた凸状部53cを嵌め合わすことができる位置に一対の凹部52cが設けられている。
【００５４】
以上のごとき構造であるので、図８（Ａ）に示すように、収容体５０の本体部５１は、背面カバー５３の開口を覆うように正面カバー５２を被せ、背面カバー５３の凸状部53cを正面カバー５２の凹部52cに嵌めこめば、正面カバー５２と背面カバー５３を連結して取付けることができる。すると、正面カバー５２と背面カバー５３の両者間には、側壁53b（つまり側壁52b）で囲まれた空間を形成することができる。
【００５５】
このため、図８（Ｂ）に示すように、本体部５１内に形成された上記空間内に包装体２０を収容する。すると、本体部５１の正面カバー５２と背面カバー５３には、外部と内部を連通する通気孔52h、53hが形成されているので、通気孔52h、53hを通して外部の空気を内部に誘導し排出させることができる（図８（Ｂ）では矢印）。
そして、収容体５０は脚５５を有しているので、脚５５を連結部を支点として背面カバー５３の背面プレート53aに対して揺動させれば、机上や棚等の上面に対して本体部５１の正面カバー５２表面が所定の角度を有するように配置することができる。そして、収容体５０を机や棚等の上面などに配置すれば、かかる空気の流れに乗せて収容体５０の内部に収容した包装体２０から発生した二酸化塩素ガスを収容体５０の正面から排出させることができる。しかも、二酸化塩素ガスを空気の流れに乗せれば、広い空間の空気を浄化することができる。
【００５６】
とくに、図８（Ｂ）に示すように、背面カバー５３の通気孔53hが背面プレート53aの上部に形成されていれば、収容体５０の正面から二酸化塩素ガスを効率よく排出させることができる。
【００５７】
また、図７に示すように、収容体５０の本体部５１の正面カバー５２の正面プレート52aと背面カバー５３の背面プレート53aにおいて、対向する位置（正面カバー５２の正面プレート52aでは下部、背面カバー５３の背面プレート53aでは上部）にそれぞれ通気孔52h、53hを形成すれば、収容体５０の正面から二酸化塩素ガスをよりスムースに排出させることができる。
【００５８】
なお、通気孔52h、53hが、特許請求の範囲にいう通気口に相当する。
【００５９】
（他の実施形態）
また、上記例では収容体を人の身辺に置いて使用する場合について説明したが、以下では、壁に掛けて使用する場合の本実施形態の空気浄化用具について説明する。
【００６０】
例えば、かかる収容体は、上述したスライド式の収容体６０を大型化した構造を有するものや、図９または図１０に示すような構造を有するものを採用してもよい。
【００６１】
図９または図１０に示すように、本実施形態の空気浄化用具の収容体７０は、正面に開口を有する箱状の収容部７２と、正面カバー７１とを備えている。
【００６２】
収容部７２は、背面プレートとこの背面プレートの前面を囲むように四枚の側壁を備えている。つまり、収容部７２は、背面プレートと四枚の側壁で囲まれた空間を有している。かかる空間内には、複数の部屋75a〜75cを有するボックス状の保持部７５が設けられている。この保持部７５は、その底面が収容部７２の一の側壁内面に接するように収容部７２内に配置されている（図１０（Ｂ）参照）。そして、保持部７５は、収容部７２内に配置した状態において、正面側（図１０（Ｂ）では左方向、図９（Ａ）では紙面手前方向）の側壁に内部と外部を連通する通気孔75hが形成されている。具体的には、図１０（Ｂ）に示すように、通気孔75hは、保持部７５の部屋75cの内部と外部を連通した溝状に形成されている。
また、図９（Ｂ）に示すように、収容部７２の背面プレートの上部には、内部と外部を連通する連通孔72gが形成されている。
【００６３】
一方、図９（Ａ）または図１０に示すように、正面カバー７１は、収容部７２の下端部に一端が連結するように設けられた背面に開口を有する略箱状の部材であって、かかる連結部を支点として収容部７２に対して接近離間するように揺動可能に取り付けられている。正面カバー７１は、正面プレートとこの正面プレート前面を囲むように四枚の側壁を備えている。正面カバー７１の正面プレートには、保持部７５の通気孔75hが形成された側壁を露出するように切欠き71h（つまり外部と内部を連通する通気口）が形成されている。
【００６４】
なお、正面カバー７１と収容部７２は、図１０（Ａ）に示すように、保持部７５を収容部７２内に配置した状態において、正面カバー７１を連結部を支点として収容部７２に対して接近させて閉じる。すると、正面カバー７１の正面プレートの前面と保持部７５の通気孔75hが形成された側壁の前面とが略面一になるように形成されている。
【００６５】
以上のごとき構造であるので、図１０（Ｂ）に示すように、収容部７２の保持部７５に設けられた一の部屋75a〜75c内に包装体２０を入れる。そして、図１０（Ａ）に示すように、本実施形態の空気浄化用具の収容体７０を、壁Ｗに設けられたフックＦの先端部を収容部７２の背面プレートに設けられた連通孔72g挿入すれば、本実施形態の空気浄化用具を壁取り付けて使用することができる。すると、壁Ｗの面に沿って流れる空気の流れに乗せて収容体７０の内部に収容した包装体２０から発生した二酸化塩素ガスを収容体７０の正面から排出させることができる。しかも、二酸化塩素ガスを空気の流れに乗せれば、広い空間の空気を浄化することができる。
【００６６】
なお、保持部７５において、包装体２０は部屋75a〜75cのどこに入れてよいが、保持部７５の部屋75bまたは75cに入れるのが好ましい。例えば、図１０（Ｂ）に示すように、包装体２０を保持部７５の部屋75bに入れれば、保持部７５の通気口75hが形成された部屋75cを開けた状態にしておくことができるので、通気口75hを通る空気の流れをスムースにできる。
【００６７】
なお、上述したスライド式または人の身辺に置いたり掛けたりして使用する本実施形態の空気浄化用具の収容体には、小型の扇風機や送風機などのファンを設けても良い。このファンは、その大きさや取付ける位置などはとくに限定されないが、通気口の設けられている位置や近傍に取り付けると効果的である。例えば、図１０に示した収容体７０の収容部７２内に配置された保持部７５の部屋75a内に配置すれば、包装体２０から発生した二酸化塩素ガスを効率よく収容体７０の外部へ排出することができる。
【００６８】
なお、上述した正面カバー７１と収容部７２が、特許請求の範囲にいう本体部に相当する。
また、切欠き71hが、特許請求の範囲にいう通気口に相当する
【産業上の利用可能性】
【００６９】
本考案の空気浄化用具は、空気中のウイルス等の雑菌が多い場所において、人が吸引する空気中のウイルス等を殺菌して空気を浄化する用具に適している。
【符号の説明】
【００７０】
１      空気浄化用具
２      ネームホルダ
５      ネックストラップ
１０    収容体
１０ａ  開口部
２０    包装体
Ｍ      粒状体
【図１】
0003184180.tif 000003
【図２】
0003184180.tif 000004
【図３】
0003184180.tif 000005
【図４】
0003184180.tif 000006
【図５】
0003184180.tif 000007
【図６】
0003184180.tif 000008
【図７】
0003184180.tif 000009
【図８】
0003184180.tif 000010
【図９】
0003184180.tif 000011
【図１０】
0003184180.tif 000012